(57)【要約】【課題】洗剤供給の煩雑さを回避するために固体洗剤粒を内部に予め分散担持せしめたものであって、柔軟性を有するとともに、使用前における洗剤の脱落を防止する手段を設ける必要がなく、かつ密封包装を必要としない洗浄用素材および洗浄用具を提供する。【解決手段】スポンジ、不織布等の柔軟な多孔質素材１の内部における多孔空隙部３に、尖角部を有する固体洗剤粒２を素材容積の略全域に亘って分散担持せしめた構成とし、使用前に固体洗剤粒２が脱落することがないとともに、多孔質素材１に水分を含ませると固体洗剤粒２が溶けて徐々に外部に滲出し、効果的に洗浄作用が発揮されるようにした。【選択図】図１
0003109206.tif 000002
【実用新案登録請求の範囲】
【請求項１】
スポンジ、不織布等の柔軟な多孔質素材の内部における多孔空隙部に、尖角部を有する固体洗剤粒を素材容積の略全域に亘って分散担持せしめたことを特徴とする洗浄用素材。
【請求項２】
手で把持できる大きさであって、スポンジ等の柔軟な多孔質素材の内部における多孔空隙部に、角張った形状をもつ固体洗剤粒を分散担持せしめたことを特徴とする洗浄用具。
【請求項３】
前記多孔質素材は、発泡樹脂、不織布または海綿であることを特徴とする請求項１または２に記載の洗浄用具。
【考案の詳細な説明】
【技術分野】
【０００１】
本考案は、発泡樹脂または不織布等の柔軟な多孔質素材からなる洗浄用素材および洗浄用具に関し、詳しくはその内部に固体洗剤を担持せしめた洗浄用素材および洗浄用具に関する。
【背景技術】
【０００２】
従来、洗剤供給の煩雑さを回避するため、洗剤を予め含んだスポンジ等の柔軟な多孔質素材からなる、乾式および湿式の洗浄用具が存在している。乾式のものとしては、固形石鹸をそのまま内部に収容したものや、微粉末状洗剤を空気に混入するとともにスポンジ等に吹き付けて分散収容させるものが存在し、湿式のものとしては液体洗剤をスポンジ等に含浸させ、密封包装したものが存在している。
【考案の開示】
【考案が解決しようとする課題】
【０００３】
しかしながら、固形石鹸をスポンジ等の内部にそのまま収容した場合は、石鹸がスポンジ等内部の一箇所に塊として存在するため、スポンジ等の柔軟性が損なわれて使い勝手が悪化していた。また、微粉末状洗剤を空気に混入するとともにスポンジ等に吹き付けて分散収容した場合は、使用前に洗剤が脱落しないようにスポンジ等の表面を水溶性のものでコーティングする等の脱落防止手段を設ける必要があった。また、液体洗剤を含浸させた場合は、使用までに乾燥しないよう密閉包装して保管しなければならず、コスト高を招いていた。
【０００４】
本考案は上記事情に鑑みてなされたものであり、その目的とするところは、洗剤供給の煩雑さを回避するために固体洗剤粒を内部に予め分散担持せしめたものであって、柔軟性を有するとともに、使用前における洗剤の脱落を防止する手段を設ける必要がなく、かつ密封包装を必要としない洗浄用素材および洗浄用具を提供することにある。
【課題を解決するための手段】
【０００５】
上記課題を解決するために第１考案は、スポンジ、不織布等の柔軟な多孔質素材の内部における多孔空隙部に、尖角部を有する固体洗剤粒を素材容積の略全域に亘って分散担持せしめた構成とし、使用前に前記固体洗剤粒が脱落することがないとともに、前記多孔質素材に水分を含ませると前記固体洗剤粒が溶けて徐々に外部に滲出し、効果的に洗浄作用が発揮されるようにしたものである。
【０００６】
また、上記課題を解決するために第２考案は、家庭用など手軽な洗浄用具を提供するもので、手で把持できる大きさであって、スポンジ等の柔軟な多孔質素材の内部における気孔空間部に、角張った形状をもつ固体洗剤粒を分散担持せしめた構成を提供する。
【０００７】
また、上記構成において、前記多孔質素材は、発泡樹脂、不織布または海綿であるのが好ましい。
【考案の効果】
【０００８】
本考案にかかる洗浄用素材および洗浄用具によれば、尖角部を有する固体洗剤粒が、柔軟な多孔質素材の内部における多孔空隙部に担持せしめられているため、洗剤の脱落防止手段を設ける必要がなく、洗剤供給の煩雑さを回避することができる。また、固体洗剤であるため、使用までの間厳密に密封しておく必要がなく、保存性に優れている。更に、柔軟な多孔質素材の略全域に亘って分散担持せしめられているため、その柔軟性が損なわれることがなく、使い勝手が良い。
【考案を実施するための最良の形態】
【０００９】
以下、図面を参照して本考案の好ましい実施の形態につき説明する。図１Ａは、本考案の一実施形態にかかる洗浄用素材の概略部分断面図であり、ポリウレタン等の多孔質素材である発泡樹脂素材１内の空隙部３内に、角張った形状を有するとともに空隙部３よりもやや大きい固体洗剤粒２が、発泡樹脂素材１の弾性復元力によって担持せしめられている。固体洗剤粒２を空隙部３内に分散担持させる方法としては、固体洗剤粒を発泡樹脂素材の略全域上に散布し、発泡樹脂下面側から負圧によって誘引させる方法、または発泡樹脂を機械的に引っ張って伸張させるとともに空隙部を拡大変形させ、略全域上に固体洗剤粒を散布した後引張りから開放する方法等をとることができる。ここで、散布量および散布範囲を調整することで、固体洗剤粒の素材容積における密度および分散範囲を適宜決めることができる。いずれの方法によっても、固体洗剤粒は発泡樹脂素材の空隙部内に、発泡樹脂の弾性復元力によって強固に担持せしめられているため、使用前に脱落することがない。使用に際しては、適量の水分供給を行い、内部の固体洗剤粒を外部に順次溶出させて使用することができる。そして、内部の固体洗剤粒が全て外部に溶出するまで繰返し使用することができる。
【００１０】
また、前述の発泡樹脂１を手で把持できる大きさに切断し、かつ適当な固体洗剤粒２を担持せしめることによって、図２Ａに示すような、食器や身体を洗う洗浄用具５として使用することができる。更に、防水材料からなる手袋６の掌側の面に、適当な寸法に切断した当該洗浄素材７を接着させて、図２Ｂに示すような洗浄用手袋８とすることもできる。このようにすれば、スポンジが入らない狭い部分や細かい隙間部分でも、指先を入れ込んで隅々まで丁寧に洗浄することができる。
【００１１】
以上、具体例を例示しつつ本考案の実施の形態について説明したが、固体洗剤粒を担持せしめる多孔質素材として海綿を使用してもよく、表面から内部にかけて複数の空隙部を有する柔軟なものであればどのようなものでも使用できる。また、図１Ｂに示すように、ナイロン等の繊維４からなる不織布を担持素材として使用してもよい。この場合も前述の方法で担持せしめることができ、繊維４が複雑に交差して形成される空隙部３に、尖角を有した固体洗剤粒２が繊維４と絡み合った状態で強固に担持せしめられる。
【００１２】
また、固体洗剤粒は用途に応じて種々の固体洗剤粒を使用することができ、その大きさも多孔質素材の空隙部の大きさに応じて、多孔質素材の柔軟性を損なわない範囲で適宜決めることができる。
【図面の簡単な説明】
【００１３】
【図１】本考案による、固体洗剤粒を担持せしめた洗浄用素材にかかる実施形態を示す概略部分断面図である。
【図２】本考案による、固体洗剤粒を担持せしめた洗浄用具にかかる実施形態を示す概略斜視図および平面図である。
【符号の説明】
【００１４】
１  多孔質素材（発泡樹脂）
２  固体洗剤粒
３  空隙部
４  繊維
【図１】
0003109206.tif 000003
【図２】
0003109206.tif 000004